(57)【要約】【課題】動画と共に用いられる広告の新たな手法を提供することを一つの目的とすること。【解決手段】本発明による動画広告生成方法は、第１動画及び第２動画を読み込むステップと、第１動画の第１時刻における第１位置の選択を受け付けるステップと、操作を受け付けることが可能な被操作領域を第１位置に設定するステップと、被操作領域が操作された際に前記第２動画を再生可能にするステップとを含んでいる。これにより、当初の動画に含まれる所定の部分を選択することにより、他の動画を提供することができる【選択図】図１
2019036805.tif 000002
【特許請求の範囲】
【請求項１】
第１動画及び第２動画を読み込むステップと、
前記第１動画の第１時刻における第１位置の選択を受け付けるステップと、
操作を受け付けることが可能な被操作領域を前記第１位置に設定するステップと、
前記被操作領域が操作された際に前記第２動画を再生可能にするステップと、
を含む、
動画広告生成方法。
【請求項２】
請求項１に記載の動画広告生成方法であって、
前記第１動画の第２時刻における第２位置の選択を受け付けるステップと、
前記被操作領域を前記第１位置から第２位置へ移動可能にするステップと、
を更に含む
動画広告生成方法。
【請求項３】
請求項２に記載の動画広告生成方法であって、
前記第１時刻と前記第２時刻との間である第３時刻における第３位置の選択操作を受け付けるステップと、
前記被操作領域を前記第１位置、前記第３位置及び前記第２位置の順に移動可能にするステップと、を含む、
動画広告生成方法。
【請求項４】
請求項１乃至請求項３のいずれかに記載の動画広告生成方法であって、
前記第２動画の表示中において、所定の装置がされた場合に、前記第１動画を前記第１時刻から再生可能にするステップを更に含む、
動画広告生成方法。
【請求項５】
請求項１又は請求項２に記載の動画広告生成方法であって、
前記被操作領域の前記第１位置から前記第２位置への移動速度の設定を更に受け付けるステップを含む、
動画広告生成方法。
【請求項６】
請求項１乃至請求項５のいずれかに記載の動画広告生成方法であって、
前記被操作領域に少なくとも一のアイコンを関連付ける操作を受け付けるステップを含む、
動画広告生成方法。
【請求項７】
メイン動画及び複数のサブ動画を読み込むステップと、
前記メイン動画の所定時刻において複数の位置の選択を受け付けるステップと、
操作を受け付けることが可能な被操作領域を複数の前記位置に設定するステップと、
複数の前記位置の夫々に対して、複数の前記サブ動画の夫々を関連づける操作を受けることによって、当該被操作領域が操作された際に関連付けられた前記サブ動画を再生可能にするステップと、
を含む、
動画広告生成方法。
【請求項８】
第１動画及び第２動画を読み込む手段と、
前記第１動画の第１時刻における第１位置の選択を受け付ける手段と、
操作を受け付けることが可能な被操作領域を前記第１位置に設定する手段と、
前記被操作領域が操作された際に前記第２動画を再生可能にする手段と、
を含む、
動画広告生成装置。
【請求項９】
コンピュータを、
第１動画及び第２動画を読み込む手段、
前記第１動画の第１時刻における第１位置の選択を受け付ける手段、
操作を受け付けることが可能な被操作領域を前記第１位置に設定する手段、
前記被操作領域が操作された際に前記第２動画を再生可能にする手段、として機能させる
動画広告生成プログラム。
【発明の詳細な説明】
【技術分野】
【０００１】
本発明は、動画広告生成方法、動画広告生成装置及び動画広告生成プログラムに関する。
【背景技術】
【０００２】
ユーザからの視認性に基づく適切なタイミングで広告の挙動を制御するウェブ広告の表示技術が開示されている（例えば、特許文献１参照）。
【先行技術文献】
【特許文献】
【０００３】
【特許文献１】特開２０１１−１２８２０４号公報
【発明の概要】
【発明が解決しようとする課題】
【０００４】
近年動画内で使用されている商品について、広告を表示することがしばしば行われている。このような広告は、動画の再生直後に表示されたり、動画とともに表示されるバナーとして表示されたりすることが多い。
【０００５】
しかしながら、このような方法では広告のリアルタイム性に欠け、広告効果を十分に発揮できない。
【０００６】
そこで、本発明は、動画と共に用いられる広告の新たな手法を提供することを一つの目的とする。
【課題を解決するための手段】
【０００７】
本発明によれば、
動画を読み込むステップと、
前記動画の第１時刻における第１位置と第２時刻における第２位置との選択を受け付けるステップと、
操作を受け付けることが可能な被操作領域を前記第１位置から前記第２位置に移動する経路を設定するステップと、
前記被操作領域と所定のコンテンツとを関連付けるステップと、を含む、
動画広告生成方法が得られる。
【発明の効果】
【０００８】
本発明によれば、動画と共に用いられる動画の新たな手法を提供することができる。
【図面の簡単な説明】
【０００９】
【図１】本発明の実施の形態による動画の再生構造を模式的に表した図である。
【図２】本発明の実施の形態による動画の再生構造を模式的に表した他の図である。
【図３】本実施の形態によるサブ動画が保有しているデータの例である。
【図４】本実施の形態によるメイン動画とサブ動画の分岐構造を表した模式図である。
【図５】本発明の第１の実施の形態による動画表示システムのイメージ図である。
【図６】動画表示装置のハードウェア構成を示すブロック図である。
【図７】動画表示システムの処理を示すブロック図である。
【図８】動画表示システムの画面例である。
【図９】動画表示システムの他の画面例である。
【図１０】被操作領域の移動速度に関するＶ−Ｔグラフである。
【図１１】本発明の第２の実施の形態による動画表示システムの画面表示例である。
【図１２】動画表示システムの画面例である。
【図１３】動画表示システムの他の画面例である。
【図１４】動画表示システムの他の画面例である。
【発明を実施するための形態】
【００１０】
本発明の実施形態の内容を列記して説明する。本発明の実施の形態による動画広告生成方法、動画表示サーバ及び動画表示プログラムは、以下のような構成を備える。
［項目１］
第１動画及び第２動画を読み込むステップと、
前記第１動画の第１時刻における第１位置の選択を受け付けるステップと、
操作を受け付けることが可能な被操作領域を前記第１位置に設定するステップと、
前記被操作領域が操作された際に前記第２動画を再生可能にするステップと、
を含む、
動画広告生成方法。
［項目２］
請求項１に記載の動画広告生成方法であって、
前記第１動画の第２時刻における第２位置の選択を受け付けるステップと、
前記被操作領域を前記第１位置から第２位置へ移動可能にするステップと、
を更に含む
動画広告生成方法。
［項目３］
請求項２に記載の動画広告生成方法であって、
前記第１時刻と前記第２時刻との間である第３時刻における第３位置の選択操作を受け付けるステップと、
前記被操作領域を前記第１位置、前記第３位置及び前記第２位置の順に移動可能にするステップと、を含む、
動画広告生成方法。
［項目４］
請求項１乃至請求項３のいずれかに記載の動画広告生成方法であって、
前記第２動画の表示中において、所定の装置がされた場合に、前記第１動画を前記第１時刻から再生可能にするステップを更に含む、
動画広告生成方法。
［項目５］
請求項１又は請求項２に記載の動画広告生成方法であって、
前記被操作領域の前記第１位置から前記第２位置への移動速度の設定を更に受け付けるステップを含む、
動画広告生成方法。
［項目６］
請求項１乃至請求項５のいずれかに記載の動画広告生成方法であって、
前記被操作領域に少なくとも一のアイコンを関連付ける操作を受け付けるステップを含む、
動画広告生成方法。
［項目７］
メイン動画及び複数のサブ動画を読み込むステップと、
前記メイン動画の所定時刻において複数の位置の選択を受け付けるステップと、
操作を受け付けることが可能な被操作領域を複数の前記位置に設定するステップと、
複数の前記位置の夫々に対して、複数の前記サブ動画の夫々を関連づける操作を受けることによって、当該被操作領域が操作された際に関連付けられた前記サブ動画を再生可能にするステップと、
を含む、
動画広告生成方法。
［項目８］
第１動画及び第２動画を読み込む手段と、
前記第１動画の第１時刻における第１位置の選択を受け付ける手段と、
操作を受け付けることが可能な被操作領域を前記第１位置に設定する手段と、
前記被操作領域が操作された際に前記第２動画を再生可能にする手段と、
を含む、
動画広告生成装置。
［項目９］
コンピュータを、
第１動画及び第２動画を読み込む手段、
前記第１動画の第１時刻における第１位置の選択を受け付ける手段、
操作を受け付けることが可能な被操作領域を前記第１位置に設定する手段、
前記被操作領域が操作された際に前記第２動画を再生可能にする手段、として機能させる
動画広告生成プログラム。
【００１１】
＜実施の形態の詳細＞
（第１の実施の形態）
以下、本発明の第１の実施の形態による動画広告生成方法によって実現される動画広告生成システムついて、図面を参照しながら説明する。
【００１２】
＜概要＞
本発明による動画表示システムは、動画内に表示される商品等について被操作領域を設定（詳細は後述する）し、ユーザによって当該被操作領域が選択されると別の動画が再生されるものである。例えば、ある動画内に登場する商品について、当該動画の再生中にその商品（に関連付けられた選択可能領域）を選択することによって、当該商品の説明に関する動画が再生される、といったユーザ体験を提供することができる。
【００１３】
本実施の形態においては、被操作領域は、固定被操作領域と移動被操作領域の２種類が用意されている。
【００１４】
固定被操作領域は、例えば、その位置が固定されている看板等に対して設定されるものである。当該動画が再生されている間、ユーザによってその看板が選択されると、当該看板に関する動画が同じビュー内で再生される（即ち、再生される動画が切り替わる）。
【００１５】
一方、移動被操作領域は、動画内の移動物（例えば「人」等）に対して設定され得るものであり、当該移動物に追随して移動する。したがって、ユーザが当該移動物を選択した場合いつでも当該移動物に関する動画が同じビュー内で再生される（即ち、再生される動画が切り替わる）こととなる。
【００１６】
＜動画広告＞
本実施の形態による動画広告生成システムは、メイン動画ｍｏｖ１とサブ動画ｍｏｖ１−１、ｍｏｖ１−２をデータとして含む広告の生成を行う。メイン動画は、ユーザに対して最初に再生（表示）される動画である。サブ動画は、メイン動画再生中に当該メイン動画内の被操作領域（固定操作領域又は移動被操作領域：詳しくは、後述する）がユーザに操作された際に再生される動画である。
【００１７】
図示されるように、メイン動画ｍｏｖ１は、開始時刻（ｔ＝０）から終了時刻（ｔ＝５０００）までの長さをもった動画である。なお、ｔの単位は任意である。本実施の形態においては、メイン動画のｔ＝４００の時点で２つの被操作領域が設定され、当該メイン動画に重ねて表示される。ユーザによって当該被操作領域のいずれかが選択されると、選択された被操作領域に応じたサブ動画ｍｏｖ１−１、ｍｏｖ１−２が再生される。
【００１８】
図１に示した例は、メイン動画ｍｏｖ１と、サブ動画ｍｏｖ１−１、ｍｏｖ１−２の２階層で構成される所謂親：子関係にあったが、図２に示されるように、メイン動画ｍｏｖ１に設定された被操作領域にサブ動画ｍｏｖ２が関連付けられ、更に、サブ動画ｍｏｖ２に設定された被操作領域に別のサブ動画ｍｏｖ３が関連付けられるといった、３階層で構成される親：子：孫関係としてもよい。
【００１９】
このような多階層を構成する場合、各動画は、図３に示されるように、少なくとも自己の識別番号「ｍｏｖｉｅ＃」、関連付けられている被操作領域が設定されている親動画の「Ｐａｒｅｎｔ＃」、当該親動画に設定された被操作領域が複数説挺されている場合等にはいずれの被操作領域であるかを特定する「ａｒｅａ＃」の３つに関する情報を保持している。
【００２０】
なお、動画広告が上述したような多階層で構成される場合には、図４に示されるようなメイン動画とサブ動画との関連性が一覧できるツリー状の分岐構造が視認できるマップをユーザに提供することとしてもよい。
【００２１】
＜移動操作領域＞
続いて、上述したサブ動画再生のきっかけとなる被操作領域（固定被操作領域及び移動被操作領域）の設定利し方について説明する。
図５を参照して、被操作領域についてより詳細に説明する。図示されるように、画面５内には、時刻Ｔ＝ｔ０において画面左の位置Ｐ１に位置しかつ時刻Ｔ＝ｔ１において画面右の位置Ｐ２まで移動する人物１０が表示されている。時刻Ｔ＝ｔ０において被操作領域１００が人物１０の衣服（人物１０の胴体の部分）に設定されており、時刻Ｔ＝ｔ１において被操作領域１００が人物１０の衣服に設定されている。
【００２２】
本実施の形態においては、人物１０が位置Ｐ１から位置Ｐ２まで移動すると、被操作領域１００も当該人物１０の移動に合わせて位置Ｐ１から位置Ｐ２まで人物１０に追随して移動する。したがって、ユーザは、移動する人物１０の衣服を当該人物１０が移動中であっても常に選択可能となる。被操作領域１００を選択すると、図示しないポップアップメニューが表示され、当該衣服の詳細な情報が画面１に表示される。
【００２３】
＜ハードウェア構成＞
本実施の形態による動画表示システムは、図６に示される動画表示装置（以下、単に「装置」という）２によって具現化される。
【００２４】
装置２は、システムを通じてサービスを提供するための情報処理装置であり、例えばワークステーションやパーソナルコンピュータのような汎用コンピュータとしてもよいし、ＰＤＡやスマートフォン等のような携帯端末、あるいはクラウド・コンピューティングによって論理的に実現されてもよい。図２に示されるように、装置２は、プロセッサ２０、メモリ２１、ストレージ２２、送受信部２３、及び入出力部２４を少なくとも備え、これらはバス２５を通じて相互に電気的に接続される。
【００２５】
プロセッサ２０は、装置２の動作を制御し、各要素間におけるデータの送受信の制御、及びアプリケーションの実行に必要な処理等を行う演算装置である。例えばプロセッサ２０はＣＰＵ及び／又はＧＰＵ（Ｇｒａｐｈｉｃａｌ  Ｐｒｏｃｅｓｓｉｎｇ  Ｕｎｉｔ）等であり、ストレージ２２に格納されメモリ２１に展開されたプログラム等を実行することによって、必要な各情報処理を実施する。
【００２６】
メモリ２１は、典型的には、揮発性メモリ（例えばＲＡＭ）、不揮発性メモリ（例えばＲＯＭやフラッシュメモリ等）及び／又はこれらの組合せからなる１次記憶装置である。メモリ２１は、典型的には、デバイスドライバ、オペレーティングシステム（ＯＳ）プログラム、１又は２以上のアプリケーションプログラム及びプログラムデータ等の全部又は一部を保持し、プロセッサの利用に供される。メモリ２１はプロセッサ２０のワークエリア等として使用され、また、装置２の起動時に実行されるＢＩＯＳ、及び各種設定情報等が格納される。
【００２７】
ストレージ２２には、典型的には、ハードディスクドライブ（ＨＤＤ）や光学式ディスクドライブ、ソリッドステートデバイス（ＳＳＤ）等からなる。ストレージデバイスは、プロセッサモジュールの２次記憶装置として機能し、ＯＳ、アプリケーションプログラム、プログラムデータ及び各種のデータベースを記憶する。これらのプログラム及びデータの全部又は一部は、外部記憶装置に記憶されても良い。
【００２８】
送受信部２３は、装置２をネットワークに接続し、外部のデータベース（詳しくは、後述する）との通信を行う。入出力部２４は、マウスやキーボード等の情報入力機器、及びディスプレイ等の出力機器である。バス２５は、上記各要素に共通に接続され、例えば、アドレス信号、データ信号及び各種制御信号を伝達する。
【００２９】
＜機能構成＞
図７に示されるように、本実施の形態による動画表示システムは、動画を読み込むステップ（ステップＳ３０１）と、当該動画内の時刻Ｔ＝ｔ０における任意の位置に開始地点を設定するステップ（ステッテプＳ３０２）と、当該動画内の時刻Ｔ＝ｔ１における任意の位置に終了地点を設定するステップ（ステップＳ３０３）と、被選択領域（後述する）の開始地点から終了地点までの速度を決定（演算）するステップ（ステップＳ３０４）とを含んでいる。
【００３０】
図８を参照して、動画内の任意の位置に被操作領域を設定するステップを説明する。動画の時刻Ｔ＝ｔ０においては、画面１内の左側に人物１０が表示されている。ユーザは、マウス等のインターフェースを利用して、開始地点を設定する。本実施の形態による開始地点の設定は、人物１０の胴体部分に領域１００ｓを設定することによって行う。  
【００３１】
領域１００ｓは、所定の面積を有する閉じた領域であり、ドラッグアンドドロップを行った領域と同一又は所定の倍率を乗じた面積を有する。本実施の形態による開始地点は当該面積の中心（重心）に設定されるが、任意の一点であればよい。
【００３２】
本実施の形態による領域１００ｓは矩形形状であるが、多角形形状、円形状、その他の任意の形状であってもよい。本実施の形態による開始地点に対応する領域１００ｓは、ユーザからの操作を受け付けることが可能な領域であり、より具体的には、ユーザからマウス等によってクリック操作することが可能な領域である。
【００３３】
続いて、図８及び図９に示されるように、図示される動画においては、時刻Ｔ＝ｔ０から時刻Ｔ＝ｔ１にかけて人物が画面１内を左から右にまっすぐ移動する（図４の点線で表した矢印を参照）。動画の時刻Ｔ＝ｔ１においては、画面１内の右側に人物１０が表示されている。
【００３４】
開始地点の選択と同様に、ユーザは、マウス等のインターフェースを利用して、終了地点を設定する。本実施の形態による終了地点の設定は、人物１０の胴体部分に領域１００ｅを設定することによって行う。領域１００ｅは、領域１００ｓと同様に、所定の面積を有する閉じた領域であり、ドラッグアンドドロップを行った領域と同一又は所定の倍率を乗じた面積を有する。本実施の形態による終了地点は当該面積の中心（重心）に設定されるが、任意の一点であればよい。本実施の形態による領域１００ｅは矩形形状であるが、多角形形状、円形状、その他の任意の形状であってもよい。本実施の形態による終了地点に対応する領域１００ｓは、ユーザからの操作を受け付けることが可能な領域であり、より具体的には、ユーザからマウス等によってクリック操作することが可能な領域である。
【００３５】
図５、図８及び図９に示されるように、開始地点及び終了地点が設定されると、それらの間を所定の速度で被操作領域１００が開始地点と終了地点までの間をｔ１−ｔ０時間かけて移動する。即ち、開始被操作領域１００と終了被操作領域１００’の設定が終了すると、装置２（図２参照）は、画面１内におけるＴ＝ｔ０における開始地点とＴ＝ｔ１における終了地点とに基づいて、被操作領域１００を所定の速度で移動させる。
【００３６】
なお、被操作領域１００の速度は図１０のＶ−Ｔグラフに示されるように、一定でなくてもよい。
【００３７】
被操作領域１００は、透明領域であるが、クリック可能であることがわかるように所定のアイコン等を表示することとしてもよい。
【００３８】
本実施の形態においては、ユーザによって被操作領域がクリックされた場合、所定の動画が表示されることとしてもよいし、所定のリンク先に遷移させることとしてもよい。なお、このようにしてユーザに提供される情報は、動画内の被操作領域１００が設定されている商品（又はサービス）に関するものである。例えば、本実施の形態においては、動画内の人物１０が着ている「服」などである。
【００３９】
（第２の実施の形態）
上述した第１の実施の形態による動画表示システムにおいては、非接触領域１００が開始地点から終了地点まで直線的に移動するものであった（図１参照）。本発明の第２の実施の形態による動画表示システムは、図１１に示されるように、人物１０が位置Ｐ１から位置Ｐ３を経由して位置Ｐ２までカーブを描いて移動する動画に対して非接触領域を設定するものである。これにより、被操作領域１００は当該人物１０の位置Ｐ１、位置Ｐ３、位置Ｐ２まで人物１０に追随して移動する。
【００４０】
図１０に示されるように、人物１０は、時刻Ｔ＝ｔ０において画面１の左側にある位置Ｐ１に位置し、図示される矢印に従って右の方向へ移動し、時刻Ｔ＝ｔ１において画面１の中央にある位置Ｐ２に位置し、図示される矢印に従って下方へ移動、時刻Ｔ＝ｔ３において画面１の右下にある位置Ｐ３に位置するように移動する。
【００４１】
第１の実施の形態と同様に、図８乃至図１０を参照して、動画内の任意の位置に被操作領域を設定するステップを説明する。図８に示されるように、動画の時刻Ｔ＝ｔ０においては、画面１内の左側に人物１０が表示されている。ユーザは、マウス等のインターフェースを利用して、開始地点を設定する。
【００４２】
本実施の形態においても開始地点の設定は、人物１０の胴体部分に領域１００ｓを設定することによって行う。領域１００ｓは、所定の面積を有する閉じた領域であり、ドラッグアンドドロップを行った領域と同一又は所定の倍率を乗じた面積を有する。本実施の形態による開始地点は当該面積の中心（重心）に設定されるが、任意の一点であればよい。本実施の形態による領域１００ｓは矩形形状であるが、多角形形状、円形状、その他の任意の形状であってもよい。本実施の形態による開始地点に対応する領域１００ｓは、ユーザからの操作を受け付けることが可能な領域であり、より具体的には、ユーザからマウス等によってクリック操作することが可能な領域である。
【００４３】
次に、図９に示されるように、時刻Ｔ＝ｔ０から時刻Ｔ＝ｔ１にかけて人物が画面１内を左から中央に移動する（図８の矢印を参照）。動画の時刻Ｔ＝ｔ１においては、画面１内の中央に人物１０’が表示されている。開始地点の選択と同様に、ユーザは、マウス等のインターフェースを利用して、中間地点を設定する。本実施の形態による中間地点の設定は、人物１０’の胴体部分に領域１００ｍを設定することによって行う。領域１００ｍは、領域１００ｓと同様に、所定の面積を有する閉じた領域であり、ドラッグアンドドロップを行った領域と同一又は所定の倍率を乗じた面積を有する。本実施の形態による終了地点は当該面積の中心（重心）に設定されるが、任意の一点であればよい。本実施の形態による領域１００ｍは矩形形状であるが、多角形形状、円形状、その他の任意の形状であってもよい。本実施の形態による終了地点に対応する領域１００ｍは、ユーザからの操作を受け付けることが可能な領域であり、より具体的には、ユーザからマウス等によってクリック操作することが可能な領域である。
【００４４】
続いて、図１３に示されるように、図示される動画においては、時刻Ｔ＝ｔ１から時刻Ｔ＝ｔ２にかけて人物が画面１内を中央から右下に移動する。動画の時刻Ｔ＝ｔ２においては、画面１内の右下側に人物１０’’が表示されている。開始地点の選択と同様に、ユーザは、マウス等のインターフェースを利用して、中間地点を設定する。本実施の形態による終了地点の設定は、人物１０’’の胴体部分に領域１００ｅを設定することによって行う。領域１００ｅは、領域１００ｓと同様に、所定の面積を有する閉じた領域であり、ドラッグアンドドロップを行った領域と同一又は所定の倍率を乗じた面積を有する。本実施の形態による終了地点は当該面積の中心（重心）に設定されるが、任意の一点であればよい。本実施の形態による領域１００ｅは矩形形状であるが、多角形形状、円形状、その他の任意の形状であってもよい。本実施の形態による終了地点に対応する領域１００ｅは、ユーザからの操作を受け付けることが可能な領域であり、より具体的には、ユーザからマウス等によってクリック操作することが可能な領域である。
【００４５】
図１１乃至図１４に示されるように、開始地点、中間地点及び終了地点が設定されると、それらの間を所定の速度で被操作領域１００が開始地点から中間地点を経て終了地点までｔ２−ｔ０時間かけて移動する。即ち、開始被操作領域１００と中間被操作領域１００’、終了被操作領域１００’’の設定が終了すると、装置２（図２参照）は、画面１内におけるＴ＝ｔ０における開始地点とＴ＝ｔ２における終了地点とに基づいて、被操作領域１００の速度ｖを決定する。
【００４６】
＜変形例＞
上述した実施の形態においては、移動体に追随する被操作領域について説明したが、例えば、画面内において位置を変えずに表示されているものに対して、所定時間の間被操作領域を設定することとしてもよい。この場合、動画の所定位置に被操作領域を設定し、設定の開始時刻（アイコンの表示時刻）と設定の終了時刻（アイコンの非表示時刻）とを受け付けることとすればよい。
【００４７】
上述した実施の形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【符号の説明】
【００４８】
２０        プロセッサ
２１        メモリ
２２        ストレージ
２３        送受信部
２４        入出力部
２５        バス
【図１】
2019036805.tif 000003
【図２】
2019036805.tif 000004
【図３】
2019036805.tif 000005
【図４】
2019036805.tif 000006
【図５】
2019036805.tif 000007
【図６】
2019036805.tif 000008
【図７】
2019036805.tif 000009
【図８】
2019036805.tif 000010
【図９】
2019036805.tif 000011
【図１０】
2019036805.tif 000012
【図１１】
2019036805.tif 000013
【図１２】
2019036805.tif 000014
【図１３】
2019036805.tif 000015
【図１４】
2019036805.tif 000016
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
第１動画及び第２動画を読み込むステップと、
前記第１動画の第１時刻における第１位置の選択を受け付けるステップと、
操作を受け付けることが可能な被操作領域を前記第１位置に設定するステップと、
前記被操作領域が操作された際に前記第１動画と切り替えて前記第２動画を再生可能にするステップと、
を含む、
動画広告生成方法。
【請求項２】
請求項１に記載の動画広告生成方法であって、
前記第１動画の第２時刻における第２位置の選択を受け付けるステップと、
前記被操作領域を前記第１位置から第２位置へ連続的に移動可能にするステップと、
を更に含む
動画広告生成方法。
【請求項３】
請求項２に記載の動画広告生成方法であって、
前記第１時刻と前記第２時刻との間である第３時刻における第３位置の選択操作を受け付けるステップと、
前記被操作領域を前記第１位置、前記第３位置及び前記第２位置の順に移動可能にするステップと、を含む、
動画広告生成方法。
【請求項４】
請求項１乃至請求項３のいずれかに記載の動画広告生成方法であって、
前記第２動画の表示中において、所定の操作がされた場合に、前記第１動画を前記第１時刻から再生可能にするステップを更に含む、
動画広告生成方法。
【請求項５】
請求項２に記載の動画広告生成方法であって、
前記被操作領域の前記第１位置から前記第２位置への移動速度の設定を更に受け付けるステップを含む、
動画広告生成方法。
【請求項６】
請求項１乃至請求項５のいずれかに記載の動画広告生成方法であって、
前記被操作領域に少なくとも一のアイコンを関連付ける操作を受け付けるステップを含む、
動画広告生成方法。
【請求項７】
メイン動画及び複数のサブ動画を読み込むステップと、
前記メイン動画の所定時刻において複数の位置の選択を受け付けるステップと、
操作を受け付けることが可能な被操作領域を複数の前記位置に設定するステップと、
複数の前記位置の夫々に対して、複数の前記サブ動画の夫々を関連づける操作を受けることによって、当該被操作領域が操作された際に関連付けられた前記サブ動画を前記メイン動画と切り替えて再生可能にするステップと、
を含む、
動画広告生成方法。
【請求項８】
第１動画及び第２動画を読み込む手段と、
前記第１動画の第１時刻における第１位置の選択を受け付ける手段と、
操作を受け付けることが可能な被操作領域を前記第１位置に設定する手段と、
前記被操作領域が操作された際に前記第１動画と切り替えて前記第２動画を再生可能にする手段と、
を含む、
動画広告生成装置。
【請求項９】
コンピュータを、
第１動画及び第２動画を読み込む手段、
前記第１動画の第１時刻における第１位置の選択を受け付ける手段、
操作を受け付けることが可能な被操作領域を前記第１位置に設定する手段、
前記被操作領域が操作された際に前記第１動画と切り替えて前記第２動画を再生可能にする手段、として機能させる
動画広告生成プログラム。